(57)【要約】【課題】小型、軽量にして一般家庭の和室、洋室、リビングルーム等において用いることで、調和のとれた反射型照明装置を提供すること。【解決手段】前面側が凹面となるように湾曲された反射板１に対峙するようにして、例えばワイヤ等の支持手段３ａ〜３ｄにより、偏平状に形成された照明基板２が吊り下げられる。前記照明基板２には複数ユニットに分割された有機ＥＬ素子からなる面発光部４ａ〜４ｄが形成されており、前記面発光部４ａ〜４ｄからの光は反射板１に向かって照射され、前記反射板からの反射光が照明空間に投射される反射型の照明装置が提供される。【選択図】図１
2008204893.tif 000002
【特許請求の範囲】
【請求項１】
背面に吊り下げ部、もしくは壁面等への取り付け部が形成された反射板と、
前記反射板の前面に対峙して、当該反射板に向かって光を投射する面発光部を形成した偏平状の照明基板と、
前記反射板と照明基板との間に介在され、前記反射板の前面に対峙させるように前記照明基板を支持する支持手段と、
が具備されていることを特徴とする反射型照明装置。
【請求項２】
前記照明基板に形成された面発光部が、有機ＥＬ素子により構成されていることを特徴とする請求項１に記載された反射型照明装置。
【請求項３】
前記面発光部を構成する有機ＥＬ素子が、前記照明基板上において複数ユニットに分割されていることを特徴とする請求項２に記載された反射型照明装置。
【請求項４】
前記照明基板は、光透過性の素材により構成されていることを特徴とする請求項１ないし請求項３のいずれか１項に記載された反射型照明装置。
【請求項５】
前記反射板は前面側が凹面となるように、鞍型もしくは椀型に湾曲されていることを特徴とする請求項１ないし請求項４のいずれか１項に記載された反射型照明装置。
【請求項６】
前記反射板は木製からなり、少なくとも前記反射板の前面には光透過性の薄膜が形成されていることを特徴とする請求項１ないし請求項５のいずれか１項に記載された反射型照明装置。
【発明の詳細な説明】
【技術分野】
【０００１】
この発明は、例えば有機ＥＬ（エレクトロルミネッセンス）素子に代表される面発光光源を用いた照明装置、特に前記面発光光源からの光を反射板により反射させる形態の反射型照明装置に関する。
【背景技術】
【０００２】
照明装置の歴史は古く、従来より点光源であるフィラメント電球や線光源である蛍光灯等が多用されている。これらの従来の光源を用いた照明装置においては、各光源を機械的に保持すると共に、各光源に対して個々に給電するためのソケットなどの付帯的な部品を具備する必要があり、このために照明装置が大型化しコストも高騰するという問題を抱えている。
【０００３】
また、前記した光源を用いて反射型照明装置、すなわち間接照明を実現しようとする場合には、光源と照明空間との間に前記光源を照明空間側から隠蔽する遮光部材を配置し、これにより、壁面や天井面からの反射光によって照明空間を照明する構成にされる。このために、従来の前記した光源を用いて反射型照明を実現させるには、なおさら照明装置が大型化する。
【０００４】
したがって、前記した従来の反射型照明装置においては、これを一般的な家庭の和室、洋室、リビングルーム等に採用しても、居住者に対してはむしろ圧迫感や違和感を与える結果となる。それ故、前記した従来の反射型照明装置は、例えば公共性のある建物や大きな屋内空間等に利用範囲が限定されるものであった。
【０００５】
ところで昨今においては、面発光源として機能する有機ＥＬ素子が注目されている。この有機ＥＬ素子は低電圧により駆動されることで高い発光効率を有し、軽量かつ薄型化が可能であることから、一部の携帯型機器などにおけるフラットパネルディスプレイ（ＦＰＤ）に利用されており、また同素子を面発光源として、例えば液晶表示素子のバックライトとして利用する形態のものも提供されている。
【０００６】
一方、有機ＥＬ素子はＥＬ発光層に用いる素材の選択により、Ｒ（赤）、Ｇ（緑）、Ｂ（青）の各発光色を得ることができ、したがって前記した各発光色を単独で、または二種以上の発光色を組み合わせることにより、白色もしくはこれに近い発光色を得ることも可能となる。それ故、有機ＥＬ素子を面発光源（発光パネル）として構成することで、例えば装飾用の光源や、室内等を照明する高効率な光源として利用することができる。
【０００７】
前記した有機ＥＬ素子の特質を生かし、これを面発光型の照明装置として利用したものが、次に示す特許文献１ないし３などに開示されている。
【特許文献１】特開平１０−１６９０７５号公報
【特許文献２】特開２００３−７４５０号公報
【特許文献３】特開２００４−２３４８６８号公報
【発明の開示】
【発明が解決しようとする課題】
【０００８】
ところで、前記特許文献１に開示された照明装置は、有機ＥＬ素子を面発光源として利用し、これを家屋の天井もしくは壁面の全面にわたって敷設することで、影を生じ難くしようとするものである。また、前記特許文献２および３に開示された照明装置においては、有機ＥＬ素子を面発光源として利用した場合において、主に輝度むらの発生を防止することを解決しようとする課題とするものである。
【０００９】
したがって、前記した特許文献１〜３に開示された各照明装置のいずれにおいても、有機ＥＬ素子を単調な面発光源として利用しようとする発想にとどまるものである。
【００１０】
この発明は、前記した有機ＥＬ素子に代表される面発光光源の特質を生かし、これにより反射型、すなわち間接照明を実現した照明装置を提供しようとするものであり、例えば一般家庭の和室、洋室、リビングルーム等において用いることで良好な雰囲気作りおよび演出効果を図ることができる装飾効果に優れた照明装置を提供することを課題とするものである。
【課題を解決するための手段】
【００１１】
前記した課題を解決するためになされたこの発明にかかる反射型照明装置は、背面に吊り下げ部、もしくは壁面等への取り付け部が形成された反射板と、前記反射板の前面に対峙して、当該反射板に向かって光を投射する面発光部を形成した偏平状の照明基板と、前記反射板と照明基板との間に介在され、前記反射板の前面に対峙させるように前記照明基板を支持する支持手段とが具備されている点に特徴を有する。
【００１２】
この場合、前記照明基板に形成された面発光部として、好ましくは有機ＥＬ素子が用いられる。加えて、好ましい形態においては面発光部を構成する前記有機ＥＬ素子は、照明基板上において複数ユニットに分割された構成にされる。
【００１３】
一方、前記照明基板は、光透過性の素材により構成されていることが望ましく、また、前記反射板は前面側が凹面となるように、鞍型もしくは椀型に湾曲されていることが望ましい。加えて、好ましい形態においては、前記反射板は木製からなり、少なくとも前記反射板の前面には光透過性の薄膜が形成された構成にされる。
【発明の効果】
【００１４】
前記した反射型照明装置によると、例えば天井から吊り下げられた反射板に対して光を投射する偏平状の照明基板を、反射板の前面に対峙させるように支持した構成にされる。この場合、前記偏平状の照明基板には、例えば有機ＥＬ素子による面発光部を備えることで、有機ＥＬ素子からの発光は反射板に向かって照射され、前記反射板からの反射光が照明空間に投射される反射型の照明装置を提供することができる。
【００１５】
前記した反射型照明装置によると、照明装置の特に高さ方向の寸法を短縮させることができ、これにより小型化並びに軽量化を図ることができる。また、前記照明基板として光透過性のものを用い、当該照明基板上に複数ユニットに分割された有機ＥＬ素子を配設するなどの工夫を凝らすことで、装飾効果に優れかつ良好な雰囲気作りおよび演出効果を図ることができる反射型照明装置を提供することが可能となる。
【００１６】
したがって、前記した反射型照明装置によると、特に一般家庭の和室、洋室、リビングルーム等において用いることで、圧迫感や違和感のない調和のとれた間接照明を実現させることができる。
【発明を実施するための最良の形態】
【００１７】
以下、この発明にかかる反射型照明装置について、図に示す実施の形態に基づいて説明する。図１はこの発明にかかる照明装置を吊り下げ型として構成した第１の実施の形態を斜め下方から視た状態で示したものであり、図２は第２の実施の形態を同じく斜め下方から視た状態で示したものである。また図３は図１に示す照明装置を水平方向から視た状態の側面図で示している。
【００１８】
図１ないし図３において、符号１は偏平状にして矩形状に形成された反射板を示し、吊り下げ型照明装置として構成した反射板１の背面中央部には、図３に示すように吊り下げ部１ａが取り付けられている。そして、吊り下げ部１ａは図示せぬ天井面から垂下された鎖等の吊り下げ具ｈに連結されている。
【００１９】
図１および図３に示す第１の実施の形態にかかる前記反射板１は、その前面側（図における下面側）が凹面となるように、面に沿う一軸方向に湾曲した鞍型に形成されている。また、図２に示す第２の実施の形態にかかる前記反射板１は、その前面側が凹面となるように、面に沿う直交する二軸方向にそれぞれ湾曲した椀型に形成されている。
【００２０】
符号２は、偏平状にして矩形状（この例では正方形）に形成された照明基板であり、この照明基板２は例えばガラスなどの光透過性の素材により構成されている。そして、前記照明基板２は、前記反射板１の前面から垂下された支持手段を構成する吊り下げ用のワイヤもしくは鎖３ａ，３ｂ，３ｃ，３ｄによって各隅角部が支持されている。これにより、前記照明基板２は、反射板１の前面に対峙するように前記ワイヤもしくは鎖４ａ，４ｂ，４ｃ，４ｄによって吊り下げられ、図に示す例においては前記照明基板２は、その面が水平状態となるように支持される。
【００２１】
前記照明基板２には、前記反射板１の前面（前記凹面）に向かって光を投射する面発光部４ａ，４ｂ，４ｃ，４ｄが形成されている。この面発光部は図に示したように４つのユニットに分割された状態になされ、各ユニットはそれぞれほぼ同一の径を有する円形状に成形されている。これら各面発光部４ａ，４ｂ，４ｃ，４ｄは、後で詳細に説明するとおり、それぞれ有機ＥＬ素子により構成されている。
【００２２】
図４は、前記した照明基板２に形成された面発光部としての１つの有機ＥＬ素子の積層構成例、すなわち、図３に示す鎖線Ａ部分を拡大断面図で示したものである。なお、図４においては面発光部として有機ＥＬ素子を、符号４で示している。
【００２３】
この有機ＥＬ素子４は、一つの例として前記したガラス製の照明基板２上にＩＴＯなどの透明電極５がベタ電極として形成され、前記透明電極５上に、さらに発光層を含む有機膜６を形成すると共に、当該有機膜６上に対向電極７をベタ電極として形成した構成になされている。
【００２４】
そして、前記透明電極５、有機膜６、対向電極７からなる有機ＥＬ素子は、前記透明基板２との間で接合される封止部材８により、その背面側が封止された状態になされる。前記した構成によって、有機膜６において発生する光Ｌは、前記透明電極５および照明基板２を透過し、反射板１の凹面に向かって投射される。
【００２５】
図５は、前記した有機ＥＬ素子の他の積層構成例を示したものである。この図５に示す有機ＥＬ素子４は、導電性の中間層を挟んで複数の有機ＥＬ素子を重畳させたマルチフォトンエミッション（ＭＰＥ）の構成例を示している。なお、図５に示す構成は二層の発光層を重畳させた例を示している。
【００２６】
すなわち、前記したガラス製の照明基板２上にＩＴＯなどの透明電極５がベタ電極として形成され、前記透明電極５上に、さらに発光層を含む有機膜６ａを形成すると共に、当該有機膜６ａ上に光透過性の中間層９が形成される。これにより第１の有機ＥＬ素子が形成されている。そして、前記中間層９上には発光層を含む有機膜６ｂが形成されると共に、その上に対向電極７が形成されている。この中間層９、有機膜６ｂ、対向電極７により第２の有機ＥＬ素子が形成されている。
【００２７】
前記した積層構成により、二層の有機ＥＬ素子が中間層９を挟んで直列接続された構成になされ、二層の発光層を持つ直列積層型有機ＥＬ素子を得ることができる。この構成により、発光層を含む有機膜６ａおよび６ｂからの光Ｌが、前記透明電極５および照明基板２を透過し、反射板１の前記凹面に向かって投射される。
【００２８】
この図５に示す構成によると、図４に示す単層の発光層のものに比較して、小さな電流密度で必要な一定の輝度を得ることができる。また、有機膜６ａおよび６ｂの発光色が互いに補色関係となるように組み合わせることで、照明として理想的なほぼ白色光を得ることができる。
【００２９】
なお、前記した有機ＥＬ素子に対しては、照明基板２を吊り下げる前記したワイヤもしくは鎖３ａ，３ｂ，３ｃ，３ｄに沿わせて図示せぬ給電線を配置することで、ＥＬ素子点灯用の駆動電流を供給することができる。
【００３０】
図６は前記した反射板１の好ましい一例、すなわち、図３に示す鎖線Ｂ部分を拡大断面図で示したものである。この実施の形態においては、反射板１は木製からなり、この木製の反射板１の前面（凹面）には、光透過性の薄膜１１がラミネートされている。この薄膜１１は、光透過性の樹脂を熱圧着させるなどしてラミネートすることができる。また前記薄膜１１は反射板１の面に塗装により形成させることもできる。
【００３１】
前記した構成の反射板１によると、年輪等の自然の模様を含む木の特有の落ち着いた質感を生かすことができ、一般の家庭向けとして調和のとれた反射型照明装置を形成させることができる。これに加えて、前記した光透過性の薄膜１１は、光の反射効率を改善させると共に、反射板１の汚れを防止させることにも寄与できる。
【００３２】
次に図７は、この発明にかかる照明装置を壁面取り付け型として構成した実施の形態を壁面に沿った方向から視た状態で示したものである。なお、図７に示す反射型照明装置においては、すでに図１〜図６に基づいて説明した照明装置と基本構成は同一であり、したがって同一の機能を果たす部分を同一符号で示し、その詳細な説明は適宜省略する。
【００３３】
図７に示す実施の形態においては、図に示すようにＬ字状に形成された反射板の取り付け部１ｂが、反射板１の背面中央部に突出するようにして配置されている。一方、照明装置を取り付けようとする壁面１２には、取り付け用アダプタ１３が予め取り付けられる。
【００３４】
そして、Ｌ字状に形成された反射板の取り付け部１ｂの折曲がり部が下向きとなるようにして前記アダプタ１３の中央空間部に挿入し、反射板１を若干下方向にスライドさせることにより、図７に示すように照明装置を壁面１２に取り付けることができる。
【００３５】
そして、図７に示す照明装置においては、反射板１と照明基板２との間に介在される照明基板１の支持手段３ａ〜３ｄは、機械的に強度を有する例えばパイプ状のステーが用いられる。これにより、照明基板２は反射板１の正面中央に対峙した状態で取り付けることができる。
【００３６】
なお、前記した取り付け用アダプタ１３を天井面に取り付けることにより、照明装置を天井直付け型として着脱可能に取り付けることもできる。
【００３７】
以上説明した構成によると小型化並びに軽量化を図ることができる装飾効果に優れた反射型照明装置を提供することができ、これにより前記した発明の効果の欄に記載した独自の作用効果を得ることができる。
【００３８】
そして、前記した照明基板として光透過性の例えばガラス板を用いることで、反射板からの反射光を効果的に透過させることができる。換言すれば、照明基板上に形成される面発光部の形態を直視することができるので、実施の形態に示したように円形に形成された４つの面発光部を備えた構成に限らず、面発光部としての前記有機ＥＬ素子のユニット数や、個々のユニットの形態、それらの配置パターン、またユニットごとの発光色を異ならせること、さらには各ユニットが独立して点灯制御されるような工夫を加えることで、装飾効果をさらに増大させることができる。
【００３９】
なお、前記した実施の形態においては、照明基板２としてのガラス板を透過して反射板１側に光が投射されるボトムエミッション型の有機ＥＬ素子を用いた例を示しているが、これは、照明基板２を透過せずに反射板１側に光が直接投射されるトップエミッション型の有機ＥＬ素子を用いても前記と同様の作用効果が得られることは勿論である。
【００４０】
また、前記した実施の形態においては、木製の反射板が用いられているが、これに限らず合成樹脂製または金属製、もしくはその他のものも利用することができる。また前記照明基板上に形成される面発光部としての有機ＥＬ素子においては、前記した対向電極ならびに封止部材に光透過性のものを用いること、または、対向電極に微細な小孔を形成させることで、両面発光が可能なＥＬ素子を得ることができる。これによると反射板による反射光に直射光を加えた照明装置を実現させることができる。
【００４１】
さらに、前記した実施の形態においては、面発光部として有機ＥＬ素子を用いているが、前記面発光部としては、例えば多数のＬＥＤを面方向に配置することで実現させることもでき、さらに面発光部として無機ＥＬ素子を用いることもできる。
【図面の簡単な説明】
【００４２】
【図１】この発明にかかる反射型照明装置の第１の実施の形態を斜め下方から視た状態の斜視図である。
【図２】同じく第２の実施の形態を斜め下方から視た状態の斜視図である。
【図３】図１に示す照明装置を水平方向から視た状態の側面図である。
【図４】照明基板に形成される有機ＥＬ素子の積層構成例を示した断面図である。
【図５】有機ＥＬ素子の他の積層構成例を示した断面図である。
【図６】反射板の構成例を示した部分断面図である。
【図７】この発明にかかる反射型照明装置を壁面取り付け型に採用した例を示す側面図である。
【符号の説明】
【００４３】
１              反射板
２              照明基板
３ａ〜３ｄ      支持手段
４ａ〜４ｄ      面発光部（有機ＥＬ素子）
５              透明電極
６，６ａ，６ｂ  有機膜
７              対向電極
８              封止部材
９              中間層
１１            薄膜
１２            壁面
１３            取り付け用アダプタ
【図１】
2008204893.tif 000003
【図２】
2008204893.tif 000004
【図３】
2008204893.tif 000005
【図４】
2008204893.tif 000006
【図５】
2008204893.tif 000007
【図６】
2008204893.tif 000008
【図７】
2008204893.tif 000009